(57)【要約】【課題】  電飾による装飾効果、宣伝広告効果が大きく、また電飾であっても、その取り扱いが容易で、低コストでの設置ができる電飾花輪装置とそれに用いられる電飾造花モジュールの提供を課題とする。【解決手段】  造花モジュールを多数配してある花輪本体１と、この花輪本体１を支持する脚本体２よりなる電飾花輪装置であって、装置毎に電源を備えており、且つ前記花輪本体１を構成する多数の造花モジュールは、その全部若しくは一部がＬＥＤを備えた電飾造花モジュール１０で構成されている。【選択図】      図５
0003115943.tif 000002
【実用新案登録請求の範囲】
【請求項１】
造花モジュールを多数配してある花輪本体と、この花輪本体を支持する脚本体よりなる電飾花輪装置であって、装置毎に電源を備えており、且つ前記花輪本体を構成する多数の造花モジュールは、その全部若しくは一部がＬＥＤを備えた電飾造花モジュールで構成されていることを特徴とする電飾花輪装置。
【請求項２】
ＬＥＤの電源は、太陽電池とその発電を充電するバッテリーからなり、環境の暗さを感知する光センサーでＬＥＤの点灯の開始を制御するようにしていることを特徴とする請求項１項に記載の電飾花輪装置。
【請求項３】
太陽電池の発電を充電するバッテリーの充電容量は、電力が供給される花輪本体の点灯時間が４時間程度となるように設定していることを特徴とする請求項２に記載の電飾花輪装置。
【請求項４】
電源は一次電池または二次電池の何れかであり、タイマーで花輪本体の点灯時間帯を制御するようにした請求項１に記載の電飾花輪装置。
【請求項５】
花弁部の基部が集合又は結束する花芯部の中央にＬＥＤを臨ませて配置してあることを特徴とする電飾造花モジュール。
【考案の詳細な説明】
【技術分野】
【０００１】
この考案は電飾花輪装置とそれに用いられる電飾造花モジュールに関する。
電飾花輪装置は新装開店やその他の各種祝賀披露行事の際等に用いられ、店舗の敷地内や店舗前、或いは郊外店における駐車場に設置することで、装飾的効果や宣伝広告効果をもたらすことができる。また電飾造花モジュールは電飾花輪装置の花輪を構成する部材として用いることができる。電飾花輪装置の電飾造花モジュールを点灯または点滅させ、花輪の中から光を発するようにして装飾展示、宣伝広告を行う。
【背景技術】
【０００２】
造花等で構成された花輪装置は、例えばパチンコ点の新装開店セールには今なお多用されており、店舗の敷地内や駐車場等、店舗の周辺に花輪を並べることで、集客効果を上げている。しかし客が集まる日暮れから夜になると見え難くなり、集客効果が上がらないものとなる。また夜になると花輪をライトアップすることもなされたりするが、花輪とは別にライトを用意し、設置せねばならない。このような煩わしさから、花輪はパチンコ店の出入り口付近の明かりがある場所にのみ並べられることになる。
ところで自己発光する電飾花輪として、造花モジュール群の間に発光体を置いて造花を照らすようにしたものがある（特許文献１）。
【特許文献１】特開平１０―２０４７１１号公報
【考案の開示】
【考案が解決しようとする課題】
【０００３】
前記特許文献１に記載のものは、隣接する造花の間に発光体を配置しているため、造花に照明を当てても造花の外部に光の大半が当って吸収されてしまう結果、照明効果が低く、造花そのものを装飾的に光らすことはできないことから、花輪を明るく、きれいに展示できるものではない。また効率の悪い照明で無駄な電力を消費する欠点があった。
また特許文献１のものは電線を配線して電力を供給するものであるから、特に郊外の店舗等で店舗から離れた駐車場等に花輪を設置する必要がある場合には、その電線の施設に作業やコスト等の面で色々と問題があった。
そこで本考案は上記従来の花輪装置の欠点を解消し、電飾による装飾効果、宣伝広告効果が大きく、また電飾であっても、その取り扱いが容易で、低コストで設置ができる電飾花輪装置とそれに用いられる電飾造花モジュールの提供を課題とする。
【課題を解決するための手段】
【０００４】
上記課題を解決するため、本考案の電飾花輪装置は、造花モジュールを多数配してある花輪本体と、この花輪本体を支持する脚本体よりなる電飾花輪装置であって、装置毎に電源を備えており、且つ前記花輪本体を構成する多数の造花モジュールは、その全部若しくは一部がＬＥＤを備えた電飾造花モジュールで構成されていることを第１の特徴としている。
また本考案の電飾花輪装置は、上記請求項１に記載の電飾花輪装置に加えて、ＬＥＤの電源は、太陽電池とその発電を充電するバッテリーからなり、環境の暗さを感知する光センサーでＬＥＤの点灯の開始を制御するようにしていることを第２の特徴としている。
また本考案の電飾花輪装置は、上記請求項２に記載の電飾花輪装置に加えて、太陽電池の発電を充電するバッテリーの充電容量は、電力が供給される花輪本体の点灯時間が４時間程度となるように設定していることを第３の特徴としている。
また本考案の電飾花輪装置は、上記請求項１に記載の電飾花輪装置に加えて、電源は一次電池または二次電池の何れかであり、タイマーで花輪本体の点灯時間帯を制御するようにしたことを第４の特徴としている。
また本考案の電飾造花モジュールは、花弁部の基部が集合または結束する花芯部の中央にＬＥＤを臨ませて配置してあることを第５の特徴としている。
【考案の効果】
【０００５】
請求項１に記載の電飾花輪装置によれば、造花モジュールを多数配してある花輪本体と、この花輪本体を支持する脚本体よりなる電飾花輪装置であって、装置毎に電源を備え、前記花輪本体を構成する多数の造花モジュールは、その全部若しくは一部がＬＥＤを備えた電飾造花モジュールで構成されているので、
所定の設置位置まで運ばれて、脚本体にて設置された電飾花輪装置は、その位置でその花輪本体を構成する造花モジュールの全部若しくは一部である電飾造花モジュールを光らせることができる。この電飾造花モジュールを光らすことで、花輪本体が艶やかな電飾状態となり、遠くからよく見えるようにすることができる。特に夜にも昼間以上の装飾効果が期待される。
電飾造花モジュールが花輪本体の全部若しくは一部を構成することで、色々な光模様からなる花輪本体を構成することができ、種々の種類の電飾からなる花輪本体を提供することができる。
勿論、ＬＥＤによる光であるので、消費電力も少なく、それに伴って電源等の重量を軽減することが可能となり、電飾花輪装置の運搬や設置作業が容易になる。
特に電源を装置毎に備えることで、遠くの電源から電線ケーブルを延ばして施設する必要がなく、複数の電飾花輪装置の集合、配置、離散等が臨機応変に行えるので、適所に簡単に各電飾花輪を配置して、最適の集客効果を上げることができる。
【０００６】
請求項２に記載の電飾花輪装置によれば、上記請求項１に記載の構成による効果に加えて、ＬＥＤの電源は、太陽電池とその発電を充電するバッテリーからなり、環境の暗さを感知する光センサーでＬＥＤの点灯の開始を制御するようにしているので、
ＬＥＤを発光させるのに太陽電池を用いることで、電池等を用いる場合に比べて電池の取り替え等のメンテナンスの手間が省け、取り扱いが容易になる。その際、ＬＥＤを発光させるので、必要な電力が少なく済み、太陽電池によっても一応は必要な電力をまかなえることが可能となる。
また光センサーでＬＥＤの点灯の開始を制御するので、夜になると自動的に点灯させることができ、手間が省ける。
【０００７】
また請求項３に記載の電飾花輪装置によれば、上記請求項２に記載の構成による効果に加えて、太陽電池の発電を充電するバッテリーの充電容量は、電力が供給される花輪本体の点灯時間が４時間程度となるように設定しているので、
昼間充電した電力が、午後６時頃から点灯されるとして、４時間程度後の午後１０時頃に尽きるので、ちょうど閉店時間頃に電飾も消えることとなり、特別な装置を付加することなく、必要な営業時間の間は点灯させ、且つ閉店後も長々と点灯するような迷惑がかからないようにすることが自動的に行える。その他、バッテリーの放電が完全になされた状態で次の充電が行われるので、バッテリーの性能劣化が少なく、耐久性が増す。
【０００８】
請求項４に記載の電飾花輪装置によれば、上記請求項１に記載の構成による効果に加えて、電源は一次電池または二次電池の何れかであり、タイマーで花輪本体の点灯時間帯を制御するようにしたので、
電池を用いることで電源ケーブルを繋ぐことなく、装置の移動や集合、離散を自由に行えると共に、天気の良し悪しに関わらず確実に夜には点灯することができ、またタイマーによる花輪本体の点灯時間帯を制御することで、電飾花輪装置の点灯したい時間を自由に定めて、最小のコストで最適の時間帯による最適の営業効果を上げることが可能となる。
【０００９】
請求項５に記載の電飾造花モジュールによれば、花弁部の基部が集合または結束する花芯部の中央にＬＥＤを臨ませて配置してあるので、
電飾造花モジュール内のＬＥＤは、花芯中央の奥まった位置での発光であるので、電飾造花モジュールを構成する多数の花弁部を影になるところが少ない状態で、且つ満遍なく光を当てることが可能となる。よって光照明のよい、明るい電飾造花モジュールができるので、装飾効果のあるものとなる。また電飾造花モジュールの花芯の中央に設けられたＬＥＤは、その集光性の発光照射によって今までと違った集客効果が上がる。更にＬＥＤは発熱が殆どないので、電飾造花モジュールの花弁部の劣化等が少なく、耐久性のよい電飾造花モジュールを構成することができる。
【考案を実施するための最良の形態】
【００１０】
以下の図面を参照して、本考案の電飾花輪装置とそれに用いられる電飾造花モジュールについて説明し、この考案の理解に供する。しかし、以下の説明はこの考案の具体例であって、実用新案登録請求の範囲の記載の内容を限定するものではない。
【００１１】
図１は本考案の実施形態に係る電飾造花モジュールの正面図、図２は電飾造花モジュールの断面図、図３は電飾造花モジュールの拡大断面図、図４は花輪本体を示す正面図である。図５は本考案の実施形態に係る電飾花輪装置の全体を示し、３体を並べた状態を示す図である。図６は太陽電池を設けた場合の電飾花輪装置の側面図、図７は電池を設けた場合の電飾花輪装置の側面図、図８は太陽電池とＬＥＤとの配線図、図９は電池とＬＥＤとの配線図である。
【００１２】
先ず図１〜図３を参照して、本実施形態の電飾花輪装置に用いられる電飾造花モジュール１０を説明する。
電飾造花モジュール１０は、複数の花弁部１１、１１・・・が重ねられるようにして構成されており、各花弁部１１の先端側の周縁は花びらの先端部のような凹凸形状とされている。この複数の花弁部１１のうち、電飾造花モジュール１０の一番外側やその近辺の花弁部１１は、花の顎、或いは葉としてもよい。
前記各花弁部１１の基部１１ａは平坦平面とされ、相互の基部１１ａが密に重ねられて結束されている。
電飾造花モジュール１０の中心付近には、花芯部１２が設けられている。この花芯部１２は、本実施形態では、一番中心部に近いところに配置される前記花弁部１１と一体的に成形されている。が、別体に構成することができる。
【００１３】
前記花芯部１２の中央にＬＥＤ１３を臨ませて配置してある。ＬＥＤ１３を保持した係止部１３ａは、花芯部１２の内部から花芯部１２の基部やその背後の花弁部１１の基部１１ａを貫通して、電飾造花モジュール１０の背後に突出するようにして設けている。１３ｂはＬＥＤ１３のリード線である。
前記ＬＥＤ１３は、電飾造花モジュール１０の中心付近に配置される花芯部１２の内部、即ち電飾造花モジュール１０の中央の奥まったところで、発光することになるので、集光性があっても、電飾造花モジュール１０の各花弁部１１を広く照らすことになる。
ＬＥＤ１３は、その色は多数あるので電飾造花モジュール１０の色に合わせて用いることで、装飾効果を上げることができる。
【００１４】
電飾造花モジュール１０の中央の奥まった位置からＬＥＤ１３が発光し、その集光性のある光が照射され、今までと違った装飾効果を奏する。更に電飾造花モジュール１０の中央の奥まった位置から光が出ているので、電飾造花モジュール１０の取り付け位置に応じて、ＬＥＤ１３からの光の方向も変化し、装飾効果が上がる。よって集客効果も上がる。
またＬＥＤ１３の発熱はほとんど無いので、花弁部１１や花芯部１２を含む電飾造花モジュール１０の劣化は少ない。
ＬＥＤ１３は電飾造花モジュール１０の大きさに応じて、１個ではなく複数個を花芯部１２に設けてもよい。
更にＬＥＤ１３は、電子点滅手段を用いて点滅されるようにしてもよい。複数の電飾造花モジュール１０のＬＥＤ１３が点滅模様をなして、装飾効果、注意喚起効果を奏し、集客効果を上げることができる。
【００１５】
図４を参照して、花輪本体１を説明する。
この花輪本体１は、前記電飾造花モジュール１０の他、電飾のない通常の造花モジュール２０とからなる。
花輪本体１の枠体１ａに対して、通常の造花モジュール２０を多数保持させ、電飾造花モジュール１０をその中に適当数を散りばめて配置する。電飾造花モジュール１０と通常の造花モジュール２０との配置関係、数量比率を変更することで種々の模様及び光模様を構成することができる。勿論、全ての造花モジュールを電飾造花モジュール１０とすることも可能である。この場合には非常に明るい電飾花輪装置となる。
【００１６】
図５は電飾花輪装置の全体を示し、図では３体を並べた状態を示す。
電飾花輪装置は、通常はフェンス、壁、その他の支柱Ａに立て掛けられる場合が多い。
電飾花輪装置は、花輪本体１と脚本体２とで構成されている。電飾花輪装置は、それぞれに電源を備えるようにしているので、展示が簡単に変えられ、装飾効果を上げることができる。
なお電源は、後述する太陽電池、一次電池、二次電池等の電池とすることができる。
【００１７】
図６は柱に立て掛けられた電飾花輪装置の側面を示し、上述の電池として太陽電池３０を備えたものを示す。３１はバッテリーである。このバッテリーの充電容量は、このバッテリーが取り付けられた電飾花輪装置の花輪本体の点灯時間が４時間程度となるようなものを用いる。太陽電池３０は、本実施形態では花輪本体１の上縁付近に配置して太陽光を受けやすいようにしているが、取り付け場所や取り付け方法は特に限定されない。
図８に太陽電池３０を用いた配線を示す。太陽電池３０により発電された電力はバッテリー３１に充電される。日が暮れると、環境の暗さを感知する光センサー３２からの信号でＬＥＤ１３への給電が開始される。日中に充電したバッテリー３２の電力で花輪本体１の電飾造花モジュール１０のＬＥＤを点灯する。これによって鮮やかな光模様が発せられ、集客効果上げる。
【００１８】
花輪本体１を光らす電力は個々の電飾花輪装置において独立しているので、光センサー３２のスイッチが入れば、その電力を使い切るまで花輪本体１は点灯を続ける。この時間は通常３〜５時間程度、実際には４時間程度になるように、そのような容量のバッテリー３２を選ぶ。これによって日没の６時位から１０時位まで点灯したのち、電力切れで消灯するようにする。パチンコ店やその他の店では一般に夜１０時頃には閉店するので、その頃に電飾花輪装置もまた自動的に消灯されるようにするのが好ましい。勿論、電飾花輪装置の消灯の時刻は使用者の都合に応じて適当に変更するようにすることができる。
なお点滅器手段３３を用いて、色々なタイミングでＬＥＤを点滅させながら点灯を行うようにすることができる。この点滅点灯の場合には、連続点灯の場合よりも消費電力が少なくなるので、より小さい容量のバッテリー３１や太陽電池３０で電力をまかなうことができる。
【００１９】
図７は柱に立て掛けられた電飾花輪装置の側面を示し、電源として一次電池または二次電池の電池４０を用いたものを示す。本形態では一次電池を用いる。支柱Ａに電飾花輪装置を立て掛けて保持している。
図９に電池４０を用いた配線を示す。電池４０やタイマー４１及び電子点滅手段４２は、花輪本体１の裏側の枠体１ａ等に配置することができる。
この電池４０を備えた電飾花輪装置の場合は、タイマー４１で点灯開始時間と消灯時間を確実に好みに合わせて制御できるので、電池４０を有効に利用できる。勿論、雨や曇りにより充電不可となるようなこともない。
【００２０】
電飾造花モジュール１０を花輪本体１に取り付ける時、電飾造花モジュール１０の中央に設けたＬＥＤ１３のリード線１３ｂは電飾造花モジュール１０の後部から長くでているので、このリード線１３ｂを使って結束することができ、簡単に保持できる。
【産業上の利用可能性】
【００２１】
新装開店や各種祝賀披露行事に用いられる電飾花輪装置に実用でき、特に夜において電飾花輪装置による装飾や宣伝効果を利用できる。
【図面の簡単な説明】
【００２２】
【図１】本考案の実施形態に係る電飾造花モジュールの正面図である。
【図２】電飾造花モジュールの断面図である。
【図３】電飾造花モジュールの拡大断面図である。
【図４】花輪本体を示す正面図である。
【図５】本考案の実施形態に係る電飾花輪装置の全体を示し、３体を並べた状態を示す図である。
【図６】太陽電池を設けた場合の電飾花輪装置の側面図である。
【図７】電池を設けた場合の電飾花輪装置の側面図である。
【図８】太陽電池とＬＥＤとの配線図である。
【図９】電池とＬＥＤとの配線図である。
【符号の説明】
【００２３】
１      花輪本体
１ａ    枠体
２      脚本体
３      基部
１０    電飾造花モジュール
１１    花弁部
１１ａ  基部
１２    花芯部
１３    ＬＥＤ
１３ａ  係止部
１３ｂ  リード線
２０    通常の造花モジュール
３０    太陽電池
３１    バッテリー
３２    光センサー
３３    点滅手段
４０    電池
４１    タイマー
４２    点滅手段
Ａ      支柱
【図１】
0003115943.tif 000003
【図２】
0003115943.tif 000004
【図３】
0003115943.tif 000005
【図４】
0003115943.tif 000006
【図５】
0003115943.tif 000007
【図６】
0003115943.tif 000008
【図７】
0003115943.tif 000009
【図８】
0003115943.tif 000010
【図９】
0003115943.tif 000011
【手続補正書】
【提出日】平成17年7月22日(2005.7.22)
【手続補正１】
【補正対象書類名】実用新案登録請求の範囲
【補正対象項目名】全文
【補正方法】変更
【補正の内容】
【実用新案登録請求の範囲】
【請求項１】
造花モジュールを多数配してある花輪本体と、この花輪本体を支持する脚本体よりなる電飾花輪装置であって、装置毎に電源を備えており、且つ前記花輪本体を構成する多数の造花モジュールは、その全部若しくは一部がＬＥＤを備えた電飾造花モジュールで構成されていることを特徴とする電飾花輪装置。
【請求項２】
ＬＥＤの電源は、太陽電池とその発電を充電するバッテリーからなり、環境の暗さを感知する光センサーでＬＥＤの点灯の開始を制御するようにしていることを特徴とする請求項１項に記載の電飾花輪装置。
【請求項３】
太陽電池の発電を充電するバッテリーの充電容量は、電力が供給される花輪本体の点灯時間が４時間程度となるように設定していることを特徴とする請求項２に記載の電飾花輪装置。
【請求項４】
電源は一次電池または二次電池の何れかであり、タイマーで花輪本体の点灯時間帯を制御するようにした請求項１に記載の電飾花輪装置。
【手続補正２】
【補正対象書類名】明細書
【補正対象項目名】０００４
【補正方法】変更
【補正の内容】
【０００４】
上記課題を解決するため、本考案の電飾花輪装置は、造花モジュールを多数配してある花輪本体と、この花輪本体を支持する脚本体よりなる電飾花輪装置であって、装置毎に電源を備えており、且つ前記花輪本体を構成する多数の造花モジュールは、その全部若しくは一部がＬＥＤを備えた電飾造花モジュールで構成されていることを第１の特徴としている。
また本考案の電飾花輪装置は、上記請求項１に記載の電飾花輪装置に加えて、ＬＥＤの電源は、太陽電池とその発電を充電するバッテリーからなり、環境の暗さを感知する光センサーでＬＥＤの点灯の開始を制御するようにしていることを第２の特徴としている。
また本考案の電飾花輪装置は、上記請求項２に記載の電飾花輪装置に加えて、太陽電池の発電を充電するバッテリーの充電容量は、電力が供給される花輪本体の点灯時間が４時間程度となるように設定していることを第３の特徴としている。
また本考案の電飾花輪装置は、上記請求項１に記載の電飾花輪装置に加えて、電源は一次電池または二次電池の何れかであり、タイマーで花輪本体の点灯時間帯を制御するようにしたことを第４の特徴としている。
【手続補正３】
【補正対象書類名】明細書
【補正対象項目名】０００９
【補正方法】削除
【補正の内容】